【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
薄膜トランジスタを形成した第１の基板と、カラーフィルタを形成した第２の基板と、前記第１の基板と前記第２の基板との貼り合わせ間隙に液晶を封入して構成される液晶表示装置であって、
前記第１の基板の内面に設置されて、表裏両面に反射面をもつと共に前記第２の基板側に凸形となる反射レンズ構造を有して該凸形の頂部に開口部を有する第一の反射電極と、
前記第一の反射電極と前記第１の基板の間、かつ前記第一の反射電極の前記開口部の下部に、前記第一の反射電極側の表面に反射面をもつ第二の反射膜とを備え、
前記凸形となる反射レンズ構造を構成する前記第一の反射電極は、前記第１の基板に形成した有機ＰＡＳ膜の上層に有し、かつ当該有機ＰＡＳ膜の表面の凹凸に倣った形状であり、
前記第１の基板側から入射する光を前記第一の反射電極の裏面と第二の反射膜の表面で反射させ、前記第一の反射電極の前記開口部に集光して、前記第２の基板側に透過させることを特徴とする液晶表示装置。
【請求項２】
請求項１において、
前記第二の反射膜は前記有機ＰＡＳ膜の下層に有することを特徴とする液晶表示装置。
【請求項３】
請求項２において、
前記第二の反射膜は、前記薄膜トランジスタの信号配線層と同層であることを特徴とする液晶表示装置。
【請求項４】
請求項１において、
前記第一の反射電極の上層に絶縁膜を介して前記液晶駆動用の他方の電極を有することを特徴とする液晶表示装置。
【請求項５】
請求項４において、
前記第一の反射電極は共通電極であることを特徴とする液晶表示装置。
【請求項６】
請求項５において、
前記透明画素電極は前記薄膜トランジスタのソースまたはドレインに接続していることを特徴とする液晶表示装置。
【請求項７】
請求項４において、
前記第一の反射電極と前記透明画素電極、および当該第一の反射電極および当該他方の電極の間に有する絶縁膜とで、保持容量が形成されることを特徴とする液晶表示装置。
【請求項８】
薄膜トランジスタを形成した第1の基板と、カラーフィルタを形成した第２の基板と、前記第1の基板と前記第２の基板との貼り合わせ間隙に液晶を封入して構成される液晶表示装置であって、
前記第1の基板の内面に設置されて、表裏両面に反射面をもつと共に前記第２の基板側に凸形となる反射レンズ構造を有して該凸形の頂部に開口部を有する第一の反射電極と、
前記第一の反射電極と前記第1の基板の間、かつ前記第一の反射電極の前記開口部の下部に、前記第一の反射電極側の表面に反射面をもつ第二の反射膜と、
前記第一の反射電極の上層に絶縁膜を介して前記液晶駆動用の透明画素電極と、当該透明電極の上層に、前記第一の反射電極の前記開口部を避けて形成された反射電極とを備え、
前記第1の基板側から入射する光を前記第一の反射電極の裏面と第二の反射膜の表面で反射させ、前記第一の反射電極の前記開口部に集光して、前記透明画素電極を通して前記第２の基板側に透過させることを特徴とする液晶表示装置。
【請求項９】
請求項８において、
前記凸形となる反射レンズ構造を構成する前記第一の反射電極は、前記第１の基板に形成した有機ＰＡＳ膜の上層に有し、かつ当該有機ＰＡＳ膜の表面の凹凸に倣った形状であり、
前記透明画素電極は、前記第一の反射電極の上層に当該第一の反射電極の表面の凹凸に倣った形状の表面形状を有する絶縁膜の上に同様の凹凸形状で形成されていることを特徴とする液晶表示装置。
【請求項１０】
請求項８において、
前記凸形となる反射レンズ構造を構成する前記第一の反射電極は前記第１の基板に形成した有機ＰＡＳ膜の上層に有し、かつ当該有機ＰＡＳ膜の表面の凹凸に倣った形状であり、
前記透明画素電極は、前記第一の反射電極の上層に当該第一の反射電極の表面の凹凸に倣った形状の表面形状を有する絶縁膜の上に同様の凹凸形状で形成され、
前記第二の反射膜は前記有機ＰＡＳ膜の下層に有することを特徴とする液晶表示装置。
【請求項１１】
請求項１０において、
前記第二の反射膜は、前記薄膜トランジスタの信号配線層と同層であることを特徴とする液晶表示装置。
【請求項１２】
請求項８において、
前記透明画素電極は前記液晶駆動用の電極であることを特徴とする液晶表示装置。
【請求項１３】
請求項１２において、
前記透明画素電極は前記薄膜トランジスタのソースまたはドレインに接続していることを特徴とする液晶表示装置。
【請求項１４】
請求項９において、
前記第一の反射電極と前記透明画素電極、および当該第一の反射電極および当該透明画素電極の間に有する絶縁膜とで、保持容量が形成されることを特徴とする液晶表示装置。
【請求項１５】
薄膜トランジスタを形成した第１の基板と、カラーフィルタを形成した第２の基板と、前記第１の基板と前記第２の基板との貼り合わせ間隙に液晶を封入して構成される液晶表示装置であって、
前記第１の基板の内面に設置されて、表裏両面に反射面をもつと共に前記対向基板側に凸形となる反射レンズ構造を有して該凸形の頂部に開口部を有する第一の反射電極と、
前記第一の反射電極と前記第１の基板の間、かつ前記第一の反射電極の前記開口部の下部に、前記第一の反射電極側の表面に反射面をもつ第二の反射膜と、
前記第一の反射電極との上層に、有機ＰＡＳ膜を介して形成された位相差膜と、
前記位相差膜の上に形成された透明共通電極と、
前記透明共通電極の上層に、絶縁膜を介して形成された開口部をもつ透明画素電極とを有し、
前記第１の基板側から入射する光を前記第一の反射電極の裏面と第二の反射膜の表面で反射させ、前記第一の反射電極の前記開口部に集光して、前記第２の基板側に透過させることを特徴とする液晶表示装置。
【請求項１６】
請求項１５において、
前記凸形となる反射レンズ構造を構成する前記第一の反射電極は、前記第１の基板に形成した有機ＰＡＳ膜の上層に有し、かつ当該有機ＰＡＳ膜の表面の凹凸に倣った形状であることを特徴とする液晶表示装置。
【請求項１７】
請求項１５において、
前記凸形となる反射レンズ構造を構成する前記第一の反射電極は前記第１の基板に形成した有機ＰＡＳ膜の上層に有し、かつ当該有機ＰＡＳ膜の表面の凹凸に倣った形状であり、前記第二の反射膜は前記有機ＰＡＳ膜の下層に有することを特徴とする液晶表示装置。
【請求項１８】
請求項１７において、
前記第二の反射膜は、前記薄膜トランジスタの信号配線層と同層であることを特徴とする液晶表示装置。
【請求項１９】
請求項１７において、
前記透明画素電極は前記薄膜トランジスタのソースまたはドレインに接続していることを特徴とする液晶表示装置。
【請求項２０】
請求項１５において、
前記透明共通電極と前記透明画素電極、および当該透明共通電極および当該透明画素電極の間に有する絶縁膜とで、保持容量が形成されることを特徴とする液晶表示装置。
【請求項２１】
請求項１５において、
前記第２の基板の内面にカラーフィルタと保護膜を有し、前記透明画素電極の開口部に対応する絶縁保護膜に凹部を有することを特徴とする液晶表示装置。
【手続補正２】
【補正対象書類名】明細書
【補正対象項目名】０００２
【補正方法】変更
【補正の内容】
【０００２】
図３０は、従来技術による半透過型の液晶表示装置の１画素付近の構成例を説明する断面図である。また、図３１は、図３０に示した１画素付近の構成例を説明する平面図である。この半透過型の液晶表示装置は、薄膜トランジスタ（ＴＦＴ）を形成した一方の基板（第１の基板、以下、ＴＦＴ基板とも言う）１００とカラーフィルタを形成した基板（第２の基板、以下、対向基板とも言う）２００との間に液晶３００を封入して構成される。ＴＦＴ基板１００の背面にはバックライトが設置されるが、図示は省略した。